(57)【要約】【課題】ユーザの利便性に答える為、通帳・証書の多種大容量化に伴って、装置がますます大型化し、結果、通帳・証書の搬送路が長くなった場合においても、発行処理の時間が延びる事を阻止し、処理能力の高い使い勝手の優れた通帳証書発行装置を提供する。【解決手段】システム的には、発行処理を指令、コントロールするホストコンピュータとの制御インターフェースにおいて未処理の複数件の取引情報を通帳証書発行装置に発行する手段を設け、通帳証書発行装置側ではその情報を受取り、処理終了まで保持する手段を設けると共に、通帳・証書の発行部と印字処理部とを独立制御可能な機構構成とし、現在取引処理の次の取引処理に使用する通帳・証書を印字処理部直前の通帳証書発行部の出口近傍まで事前繰り出し処理を可能とした。【選択図】  図１
2004315141.tif 000002
【特許請求の範囲】
【請求項１】
通帳・証書の保持、繰り出し、搬送、及び、印字関連処理が出来る機能を有し、それらの機能を制御すると共に、取引処理を指令する外部との制御インターフェースを有して、外部の指示により、それらの機能を実現出来る、通帳・証書の自動発行等を行う通帳証書発行装置において、外部とのインターフェースにおいて未処理の複数件の取引情報を通帳証書発行装置に発行する手段と、通帳証書発行装置側にあってその情報を受取り、処理終了まで保持する手段を有すると共に、通帳証書発行部と印字処理部とを独立制御可能な機構構成とし、現在取引処理の次の取引処理に使用する通帳・証書を印字処理部直前の通帳証書発行部の出口近傍まで事前繰り出し処理を行なうことを特徴とする通帳証書発行装置。
【請求項２】
前記事前繰り出しの印刷処理部までの距離は通帳・証書が前記印刷処理部に達するまで前記印刷処理部の搬送路が一定速度になる距離であることを特徴とする請求項１記載の通帳証書発行装置。
【請求項３】
通帳証書発行部の下流の搬送路中に、現在取引中に障害等が発生して事前繰り出しした通帳・証書が使えなくなった場合に、その該当する通帳・証書を回収しておくことのできる回収箱を設けたことを特徴とする請求項１記載の通帳証書発行装置。
【請求項４】
事前繰り出しした通帳・証書の印字処理部との受渡しにおいて、先に印字処理部を起動して搬送速度を一定速度にした後、事前繰り出しした通帳・証書を印字処理部の受取りローラに位置から、通帳証書発行部の搬送モータの一定速度までの立ち上がりに必要な距離分以上手前の位置に事前繰り出しした通帳・証書を待機させるよう構成したことを特徴とする請求項１記載の通帳証書発行装置。
【請求項５】
通帳・証書の事前繰り出し処理をサポートするか否かを装置の作りこみ仕様として選択出来る、および／または装置に付随した表示部や操作パネルにて同機能のサポート有無を設定出来るよう構成したことを特徴とする請求項１記載の通帳証書発行装置。
【発明の詳細な説明】
【０００１】
【発明の属する技術分野】
本発明は、銀行その他金融機関等において、通帳・証書の発行、通帳・証書への記帳等の機能を有する通帳証書発行装置に関する。
【０００２】
【従来の技術】
従来、通帳証書発行装置における通帳・証書の発行においては、１件ずつ処理する方式であって、同様な公知例としては例えば、特開平１０―２９７３３号公報（特許文献１）の様なものがあった。
【０００３】
従って、仕掛け構成は比較的単純であったが、多種の通帳・証書を取扱う場合においてはスペースの関係で装置が大きくなるにつれ、必然的に通帳・証書の印字処理部までの搬送路が長くなり、１件当りの処理時間が短縮出来ないという問題があった。
【０００４】
【特許文献１】
特開平１０−２９７３３号公報
【０００５】
【発明が解決しようとする課題】
本発明は、ユーザの利便性の為、通帳・証書の多種大容量化に伴って、装置がますます大型化し、結果、通帳・証書の搬送路が長くなった場合においても、発行処理の時間が延びる事を阻止し、処理能力の高い使い勝手の優れた通帳証書発行装置を提供するものである。
【０００６】
【課題を解決するための手段】
本発明の通帳証書発行装置を実現する為、まずシステム的には、発行処理を指令、コントロールするホストコンピュータ（外部）との制御インターフェースにおいて未処理の複数件の取引情報を通帳証書発行装置に発行する手段を設け、通帳証書発行装置側ではその情報を受取り、処理終了まで保持する手段を設けると共に、通帳・証書の発行部と印字処理部とを独立制御可能な機構構成とし、現在取引処理の次の取引処理に使用する通帳・証書を印字処理部直前の通帳証書発行部の出口近傍まで事前繰り出し処理をする。
【０００７】
【発明の実施の形態】
以下、図１〜図６で、本発明の一実施例を説明する。
まず、第４図は本発明における通帳証書発行装置３のシステム構成を示す。ホストコンピュータ１からの通帳証書の発行指示は、中継サーバー２を経由して、通帳証書発行装置３に届く。図２、３からもわかる様に通帳証書発行装置３は、制御系としては装置制御部３８にホストコンピュータ１や中継サーバー２との指令の遣り取りを可能にする外部とのインターフェース部３６や、通帳や証書を保管し、制御部の指示によりそれらを繰り出す通帳証書収納部４、繰り出された通帳証書に印字等の発行処理を施す印字処理部５、通帳証書をセットできる通帳証書挿入口８、処理済の通帳証書を放出する為の通帳証書発行部７、更に、通帳証書発行装置３の状態表示、及び、各種指指示入力を行う為の表示入力部６から構成されている。
【０００８】
従来の通帳証書発行装置３の発行処理の流れを図５に示す。ここでは、通帳２７の新規発行の例で説明する。
【０００９】
ホストコンピュータ１から中継サーバー２を経由して、通帳証書発行装置３に新規通帳の発行処理のメッセージが配信される（ステップ１０１）。すると、通帳証書発行装置３では現在取引処理中かどうかの判定を行い（ステップ１０２）、処理中であれば受付不可という事で、ホストコンピュータ１に対し、受付拒否の回答を返し（ステップ１０３）、ホストコンピュータ１は通帳証書発行装置３の現在の処理が終了するまで次の取引を待機する事になる。
【００１０】
一方、現在通帳証書発行装置３が処理中でない場合は、ホストコンピュータ１から、新規通帳発行に必要なデータ（通帳種類、印字内容、磁気ストライプ情報等）を取得し（ステップ１０４）、新規発行用に該当通帳を収納部４から繰り出し、印字処理部５へ移送する（ステップ１０５）。その後、該当通帳へ印字、及び、磁気ストライプの書き込み等の発行処理を行い、発行部７へ放出し（ステップ１０６）、ホストコンピュータ１に発行処理の完了を報告して（ステップ１０７）、一連の通帳発行取引の完了となる。
【００１１】
次に、図１、２、３、６にて本発明の一実施例の詳細について述べる。
【００１２】
本発明の通帳証書発行装置３の機能ブロック図を図２に示す。図からもわかる様に通帳証書発行装置３は、制御系としては制御部３８にホストコンピュータ１や中継サーバー２との指令の遣り取りを可能にする外部インターフェース部３６や、通帳２７や証書２８を保管し、制御部の指示によりそれらを繰り出す通帳証書収納部４、繰り出された通帳証書に印字等の発行処理を施す印字処理部５、通帳証書をセットできる通帳証書挿入口８、処理済の通帳証書を放出する為の通帳証書発行部７、更に、通帳証書発行装置３の状態表示、及び、各種指指示入力を行う為の表示入力部６を備えている。
【００１３】
ここで、制御部３８は図示されてはいないが、現在取引中のものを含め、もう１件以上の未処理（次の取引分）のホストコンピュータ１からの発行処理データを保持、格納する手段、及び、その機能を表示入力部６からの設定、若しくは、ソフトウェア等にて有効、無効を自由に設定出来る手段も設けられている。
【００１４】
通帳証書発行装置３は、下部に複数の通帳２７や証書２８（図３）を保管し、外部指示により、それらの保管庫から自由に１枚ずつ繰り出せ、且つ、搬送出来る搬送路３５ａ、３５ｂを含む通帳証書収納部４を有し、通帳証書収納部４の搬送路３４の終端にはそこから搬送されてきた通帳証書を受け取れる様に構成され、印字処理部５へ、及び、通帳証書発行部７へも導く為の搬送路３３が設けられている。通帳証書発行部７へ続く搬送路の途中には搬送路切替部３２が設けてあり、図示されてはいないが、外部指令にて走路を切り替える事で、通帳や証書を印字処理部５へと導く事も可能な構成になっている。また、通帳証書発行部７への搬送路にはその手前に搬送路切替部３１があり、図示されてはいないが、外部指令にて走路を切り替える事で、通帳や証書を回収部１５へと導く事も可能な構成になっている。１６は証書を順次取り出せるよう格納する証書ホッパを示し、１９は通帳を順次取り出せるよう格納する通帳ホッパを示す。
【００１５】
印字処理部５へ導かれた通帳２７や証書２８は、中央の印字ヘッド部１３で印字処理を、奥の頁替え部１４で通帳２７の表紙や中紙の捲りを、磁気ストライプ機構部１２で通帳２７の磁気情報の書き込みや読み取りを、更に、イメージ処理部１１で通帳２７に印刷されたバーコード情報や印字済の情報の読取等を行う事が出来る様に構成されている。これらの制御は印字処理制御部３０によって行なわれる。更に通帳証書発行装置３の正面には、通帳証書発行装置３の状態表示、及び、各種指指示入力を行う為の表示入力部６が設けられている。
【００１６】
第６図のフロー、及び、図３に従って、本発明の一実施例での動作を説明する。
ホストコンピュータ１から中継サーバー２を介して、通帳証書発行装置３に新規通帳の発行指示が送られてくると（ステップ２０１）、まず、現在、通帳証書発行装置３では現在取引処理中かどうかの判断が行われ（ステップ２０２）、処理中でない場合は、従来発明と同様、以下ホストコンピュータ１から新規通帳の発行に必要なデータ（通帳種類、印字内容、磁気ストライプ情報等）を取得し（ステップ２０４）、以下同様の発行取引処理となる。ここで、現在取引処理中であった場合、本発明で新しく付加した機能である以下の判断が行われる。
【００１７】
まずは通帳証書発行装置３で、現在の取引に続く、次の処理を受付済かどうかの判断である（ステップ２０３）。ここで次の処理を既に受付済であるならば、受付拒否の回答をホストコンピュータ１に回答し（ステップ２１０）、後に述べる次の処理のデータ格納エリアが空になって通帳証書発行装置３が受付け可能となる迄、問合せ応答しながら、次の取引を待機する事となる。一方、次の処理を未だ受付けていない場合には、新しく設けた次の取引データを格納しておくエリアにホストコンピュータ１からの次の処理格納エリアに、新規通帳発行に必要なデータ（通帳種類、印字内容、磁気ストライプ情報等）を取得し（ステップ２０９）、次の取引の該当通帳２７をこの場合、通帳証書収納部４にある通帳ホッパＡ１９から、図示されてはいないが、１冊だけ繰り出す分離手段で図示ｈ方向へと搬送する（ステップ２１１）。
【００１８】
繰り出された通帳２７は、図示ｇ方向へと搬送され、印字処理部５の入口にあたる印字処理部受取りローラ３３から、Ｌ１の距離にて繰り出し待機する。この場合のＬ１は印字処理部４を起動してその搬送路が決められた一定速度に達するに要する時間を距離に換算した値であり、通帳証書収納部４から待機位置にある通帳２７を搬送しても印字処理部受取りローラ３３に達した場合、印字処理部４の搬送路が決められて一定速度に達していて安全、且つ、確実な搬送を実現する為に必須な条件である。この繰り出された通帳２７が待機している状態で、現在印字処理部４での発行処理が終ると同時に（ステップ２１２）、制御部３８では次の取引格納エリアから、次の処理のデータを現在処理の格納エリアに移し、次の処理の格納エリアも消去して（ステップ２１３）、通帳証書発行装置３としては、ホストコンピュータ１からの次の取引を受付けられる状態にする。そして、通帳証書収納部４と印字処理部５に起動をかけ、待機状態にある通帳２７を通帳証書収納部４から印字処理部５へ送りこむ（ステップ２１４）。
【００１９】
この時、通帳証書収納部４から搬送された通帳２７は、Ｌ１の距離をもって待機していた事から、印字処理部受取りローラ３３に達した時は決められた一定速度に達しており、安全で確実な受渡しが出来る。通帳２７は更に矢印ｅ方向へと搬送される。そして搬送路切替部３２を通過した後、一旦、停止する。その後、図示されてはいないが、制御部３８からの指令にて走路を切り替える事で、通帳２７を図示ｄ方向に印字処理部４へと導く。印字処理部４の印字ヘッド部１３では通帳２７の表紙や中紙に印字を行い、磁気ストライプ読取書込み部１２では磁気ストライプ情報の読取や書き込みを、また、頁替え部１４では、通帳２７の表紙や中紙の捲り、更に、イメージ読み取り部１１では通帳２７の各頁に印刷されたバーコードや印字済の情報を読み取り等の各機能を組み合わせて実施する事で新規通帳発行の為の一連の処理を完了させる。その後、処理が完了した通帳２７を通帳証書発行口７に搬送し、１件の通帳２７の発行処理を完全に完了し（ステップ２１５）、ホストコンピュータ１に処理の完了を報告する（ステップ２１６）。以下、同様のフローで次々に通帳２７や証書２８の発行処理を行う。
【００２０】
ここで、万が一、現在処理中の取引においてハードトラブル等の不具合が発生し、例えば現在の取引を再度実施しなければならない事態が想定されたとする。その場合、問題となるのは、繰り出して待機中の通帳２７や証書２８の処置である。そうなった場合は、繰り出し待機している通帳２７や証書２８を一旦、通常の取引同様、印字処理部４へと搬送し、既に述べた通帳２７や証書２８の回収部１５に、該当する通帳２７や証書２８を回収する事で、以降問題なく、自動的に連続して再発行の処理が出来る。また、本発明の通帳証書発行装置３においては、通帳・証書の事前繰り出し処理をサポートするか否かを装置の作りこみ仕様としてフソフトウェアで選択出来る様になっており、更には、装置に付随した表示入力部６にて同機能のサポート有無を設定出来る様になっており、通帳証書発行装置３としての運用性、利便性の優れたものとなっている。
【００２１】
【発明の効果】
特に大幅な機構等を追加する事なく、従来よりも、処理速度に優れた通帳証書発行装置を実現出来る。
【図面の簡単な説明】
【図１】本発明の一実施例における通帳証書発行装置の装置全体図（構造図）を示す。
【図２】本発明の一実施例における通帳証書発行装置の装置機能ブロック図を示す。
【図３】図１の通帳証書発行装置の本発明の一実施例である発行部と印字処理部の受渡し部の詳細構成図を示す。
【図４】本発明の一実施例における通帳証書発行装置のシステム全体の構成図を示す。
【図５】従来の通帳証書発行装置での新規通帳の発行（繰り出し）、取引処理における動作制御方法を示すフローチャートを示す。
【図６】本発明の一実施例における通帳証書発行装置での新規通帳の発行（繰り出し）、取引処理における、動作制御方法を示すフローチャートを示す。
【符号の説明】
１  …  ホストコンピュータ、２  …  中継サーバー、３  …  通帳証書発行装置、
４  …  通帳証書収納部、５  …  印字処理部、６  …  表示入力部、７  …  通帳証書発行口、
８  …  通帳証書挿入口、９  …  通帳証書受渡し部、１０  …  一括記帳部、
１１  …  イメージ読み取り部、１２  …  磁気ストライプ読取書込み部、
１３  …  印字ヘッド部、１４  …  頁替え部、１５  …  回収部、１６  …  証書ホッパＡ、
１７  …  証書ホッパＢ、１８  …  証書ホッパＣ、１９  …  通帳ホッパＡ、
２０  …  通帳ホッパＢ、２１  …  通帳ホッパＣ、２２  …  通帳ホッパＤ、
２３  …  通帳ホッパＥ、２４  …  通帳ホッパＦ、２５  …  通帳ホッパＧ、
２６  …  通帳ホッパＨ、２７  …  通帳、２８  …  証書、２９  …  搬送ローラ、
３０  …  印字処理制御部、３１  …  搬送路切替部、３２  …  搬送路切替部、
３３  …  印字処理部受取りローラ、３４  …  通帳証書収納部送り出しローラ、
３５  …  通帳証書搬送路、３６  …  インターフェース部、３７  …  電源部、
３８  …  制御部。
【図１】
2004315141.tif 000003
【図２】
2004315141.tif 000004
【図３】
2004315141.tif 000005
【図４】
2004315141.tif 000006
【図５】
2004315141.tif 000007
【図６】
2004315141.tif 000008